(57)【要約】【課題】  長時間の使用でも疲れにくく、また肩掛けベルトをややきつめに締め付けた場合でも使用者や乳幼児が圧迫されにくく、更には乳幼児を背負うときの安定性に優れると共に、背負った後のバランスも取りやすいようにした背負い用の子守帯を提供する。【解決手段】  背負い用の子守帯Ａは、乳幼児の背中をサポートする部分と、乳幼児の臀部をサポートする部分１２０を備えた子守帯本体１２と、子守帯本体１の両側方に延ばして設けられた肩掛けベルト２ａ，２ｂと、該肩掛けベルト２ａ，２ｂを通すためのベルト通しを有する腰当てベルト３とを備えている。乳幼児の臀部をサポートする部分１２０は、乳幼児の臀部を受ける凹部を有さず、平面的または本質的に平面的に形成されており、乳幼児を背負った際に乳幼児の臀部を使用者側に引き寄せて使用者の背中と乳幼児の体を密着させることができるように構成されている。【選択図】        図１０
2006130016.tif 000002
【特許請求の範囲】
【請求項１】
乳幼児の背中をサポートする部分と、乳幼児の臀部をサポートする部分を備えた背負い用の子守帯において、
乳幼児の臀部をサポートする部分(120)は乳幼児の臀部を受ける凹部を有さず、平面的または本質的に平面的に形成されていることを特徴とする、
背負い用の子守帯。
【請求項２】
乳幼児の背中をサポートする部分と、乳幼児の臀部をサポートする部分(120)を備えた子守帯本体(1)と、
子守帯本体(1)の両側方に延ばして設けられた肩掛けベルト(2a,2b)と、
該肩掛けベルト(2a,2b)を通すためのベルト通し(31a,31b)を有する腰当てベルト(3)と、
を備えており、
乳幼児の臀部をサポートする部分(120)は乳幼児の臀部を受ける凹部を有さず、平面的または本質的に平面的に形成されていることを特徴とする、
背負い用の子守帯。
【請求項３】
ベルト通し(31a,31b)が使用者の体に直接的に当たることを防止するためのベルト通し受部(32a,32b)が設けてあることを特徴とする、
請求項２記載の背負い用の子守帯。
【請求項４】
子守帯本体(1)は、乳幼児の脇の下の胴部分まで包み込むように幅広に形成されていることを特徴とする、
請求項１または２記載の背負い用の子守帯。
【請求項５】
子守帯本体(1)、肩掛けベルト(2a,2b)及び腰当てベルト(3)の所要箇所には、低反発ウレタンフォーム(113,123,21,30,35)が収容されていることを特徴とする、
請求項１，２，３または４記載の背負い用の子守帯。
【発明の詳細な説明】
【技術分野】
【０００１】
本発明は背負い用の子守帯に関する。
更に詳しくは、長時間の使用でも疲れにくく、また肩掛けベルトをややきつめに締め付けた場合でも使用者や乳幼児が圧迫されにくく、更には乳幼児を背負うときの安定性に優れると共に、背負った後のバランスも取りやすいようにした子守帯に関する。
【背景技術】
【０００２】
従来の背負い用の子守帯（おんぶ紐とも称される）としては、例えば図１１に示すようなものが一般的に使用されている。この子守帯Ｂは、乳幼児の背中から臀部にかけて接する背当て部９１と、背当て部の両側方に延ばして設けられた肩掛けベルト９２ａ，９２ｂと、肩掛けベルト９２ａ，９２ｂを通すベルト通し９３１ａ，９３１ｂを有する腰当てベルト９３を備えている。  
【０００３】
子守帯Ｂを使用する際は、図１２に示すように、背当て部９１で乳幼児の背中から臀部を支持した状態で背負った後、肩掛けベルト９２ａ，９２ｂを両肩に掛けて胸の前で交差させる。そして、肩掛けベルト９２ａ，９２ｂをベルト通し９３１ａ，９３１ｂに通してから使用者の腹部の前で固く結んで固定する。
【０００４】
更に、図１３（図１１のII−II部分に対応する断面を示す説明図）に示すように、従来の子守帯では、背当て部９１に乳幼児の臀部を受ける凹み９４が設けられている。詳しく説明すると、背当て部９１がやや長目に形成されていると共に、臀部が当たる部分の両側方に位置する背当て部９１の縁部９１１ａ，９１１ｂの中にゴム紐が収容されている。図示の都合上、図１１では縁部を伸ばした状態で図示しているが、単に展開した状態ではゴム紐のゴム弾性によって縁部９１１ａ，９１１ｂは皺が寄った状態でやや縮んでおり、これによって上記した凹み９４が形成されている。
【０００５】
図１４は、図１２に示す子守帯の一部を断面して乳幼児の臀部の位置が分かるように表した側面視説明図である。上記したように、乳幼児を背負った状態では、背当て部９１に形成された凹み９４に乳幼児の臀部が収まっている。
【発明の開示】
【発明が解決しようとする課題】
【０００６】
しかしながら、従来の子守帯を使用して乳幼児をおんぶしていると、すぐに肩などが疲れてしまい、家事等を長時間することができなかった。
【０００７】
本発明者はその原因を明らかにすべく、従来から提案されている子守帯の装着試験を行ない、詳細な検討を行なった。その結果、図１４に示すような従来の子守帯では、上記した背当て部９１の凹み９４に乳幼児の臀部が収まることによって、使用者の背中と乳幼児の体に隙間が形成されることを見い出し、そのことが使用者を疲れやすくしている原因であることを突き止めた。
【０００８】
即ち、図１４に示すように、乳幼児の臀部が背当て部９１の凹み９４に収まることによって、乳幼児の骨盤が後方に傾いた状態で反り、それによって使用者の背中と乳幼児の体に隙間ができてしまう。このため、乳幼児の重心は使用者の背中から離れて後方へ（矢印ｂ１方向）へ移動し、乳幼児の荷重は後方に下方傾斜して（図１４で矢印ｂ２方向へ）かかるようになる。その結果、肩に掛かった肩掛けベルトが後ろ斜め下方に（矢印Ｃ方向）へ引っ張られるため、肩掛けベルトによって肩が圧迫されて血流が悪くなり、短時間でも疲れを感じるようになる。
【０００９】
更に乳幼児の荷重が使用者の後方にかかるため、乳幼児が動くと次第に子守帯Ｂがズレ落ちやすい。その結果、使用者がバランスを取りにくくなり、一層疲れやすくなる。またズレ落ちると、乳幼児は使用者である母親等の顔を肩越しに見ることができなくなるため、安心感が得られにくいといった欠点もある。
【００１０】
（本発明の目的）
そこで本発明の目的は、長時間の使用でも疲れにくい背負い用の子守帯を提供することにある。
本発明の他の目的は、肩掛けベルトをややきつめに締め付けた場合でも使用者や乳幼児が圧迫されにくいようにした子守帯を提供することにある。
また本発明の他の目的は、乳幼児を背負うときの安定性に優れると共に、背負った後のバランスも取りやすいようにした子守帯を提供することにある。
【課題を解決するための手段】
【００１１】
上記目的を達成するために本発明が講じた手段は次のとおりである。
【００１２】
第１の発明にあっては、
乳幼児の背中をサポートする部分と、乳幼児の臀部をサポートする部分を備えた背負い用の子守帯において、
乳幼児の臀部をサポートする部分は乳幼児の臀部を受ける凹部を有さず、平面的または本質的に平面的に形成されていることを特徴とする、
背負い用の子守帯である。
【００１３】
第２の発明にあっては、
乳幼児の背中をサポートする部分と、乳幼児の臀部をサポートする部分を備えた子守帯本体と、
子守帯本体の両側方に延ばして設けられた肩掛けベルトと、
該肩掛けベルトを通すためのベルト通しを有する腰当てベルトと、
を備えており、
乳幼児の臀部をサポートする部分は乳幼児の臀部を受ける凹部を有さず、平面的または本質的に平面的に形成されていることを特徴とする、
背負い用の子守帯である。
【００１４】
第３の発明にあっては、
ベルト通しが使用者の体に直接的に当たることを防止するためのベルト通し受部が設けてあることを特徴とする、
第２の発明に係る背負い用の子守帯である。
【００１５】
第４の発明にあっては、
子守帯本体は、乳幼児の脇の下の胴部分まで包み込むように幅広に形成されていることを特徴とする、
第１または第２の発明に係る背負い用の子守帯である。
【００１６】
第５の発明にあっては、
子守帯本体、肩掛けベルト及び腰当てベルトの所要箇所には、低反発ウレタンフォームが収容されていることを特徴とする、
第１，２，３または第４の発明に係る背負い用の子守帯である。
【００１７】
（作  用）
本発明に係る背負い用の子守帯は、次のように作用する。
乳幼児の臀部をサポートする部分が乳幼児の臀部を受ける凹部を有さず、平面的または本質的に平面的に形成されているので、乳幼児を背負った際には乳幼児の臀部をサポートする部分が臀部の落ち込みを防止する。これにより、乳幼児の臀部を使用者側に引き寄せて、使用者の背中と乳幼児の体を密着させ、乳幼児の重心を使用者側へ移動させることができる。
【００１８】
乳幼児の背中をサポートする部分と、乳幼児の臀部をサポートする部分を備えた子守帯本体と、子守帯本体の両側方に延ばして設けられた肩掛けベルトと、該肩掛けベルトを通すためのベルト通しを有する腰当てベルトと、を備えたものは、次のように作用する。
子守帯を展開した状態で下に置いた後、乳幼児を子守帯本体の上に仰向けに寝かせる。乳幼児の脇の下に肩掛けベルトを通し、乳幼児の胸の前で肩掛けベルトの根元付近を束ねるようにして両手で掴み、乳幼児を落ちないように保持する。保持したまま、肩掛けベルトの下に肘を入れながら、乳幼児を背中にまわして担ぎ上げる。次いで、肩掛けベルトを両肩に掛けて胸の前で交差させた後、この肩掛けベルトをベルト通しに通してから腹部の前で固く結んで、乳幼児を背中に固定する。
【００１９】
ベルト通し具が使用者の体に直接的に当たることを防止するためのベルト通し受部が設けてあるものは、乳幼児を密着させるために肩掛けベルトをややきつめに締め付けた場合でも、ベルト通しをベルト通し受部が受けてベルト通しが使用者の腰や肋骨等に直接的に強く当たることを防止する。したがって、肩掛けベルトをややきつめに締め付けた場合でも痛くなりにくい。
【００２０】
子守帯本体が乳幼児の脇の下の胴部分まで包み込むように幅広に形成されているものは、乳幼児が子守帯本体に包まれた状態で安定しているので背負いやすく、また背負った後のバランスも取りやすい。
【００２１】
子守帯本体、肩掛けベルト及び腰当てベルトの所要箇所に低反発ウレタンフォームが収容されていることものは、肩掛けベルトで子守帯をややきつく締め付けても低反発ウレタンフォームが変形するので、乳幼児や使用者の体は圧迫されにくい。
【発明の効果】
【００２２】
本発明は上記構成を備え、次の効果を有する。
（ａ）本発明によれば、乳幼児の臀部をサポートする部分が乳幼児の臀部を受ける凹部を有さず、平面的または本質的に平面的に形成されているので、乳幼児を背負った際には乳幼児の臀部の落ち込みが防止される。これにより、使用者の背中と乳幼児の体を密着させることができるので、乳幼児の重心を使用者側へ移動させた状態で乳幼児を背負うことができる。よって、肩に掛かった肩掛けベルトを使用者の後ろ斜め下方に引っ張るような向きの力は働かない。したがって、肩掛けベルトによって肩が圧迫されにくく、長時間の使用でも疲れにくい。また乳幼児の体が密着することで、バランス良く背負うことができ、家事等の作業をしていても疲れにくい。
【００２３】
（ｂ）また肩に掛かった肩掛けベルトを使用者の後ろ斜め下方に引っ張るような向きの力は働かないので、長時間の使用でも子守帯はズレ落ちにくい。したがって、乳幼児を高い位置で背負い続けることができるので、疲れにくい。また高い位置で背負うことで、乳幼児は使用者である母親等の顔を肩越しに見ることができるので、安心感が得られやすく、寝付きが早くなるといった効果も期待できる。
【００２４】
（ｃ）ベルト通し具が使用者の体に直接的に当たることを防止するためのベルト通し受部が設けてあるものは、乳幼児を密着させるために肩掛けベルトをややきつめに締め付けた場合でも、ベルト通しが使用者の腰や肋骨等に直接的に強く当たることをベルト通し受部が和らげるので痛くなりにくい。
【００２５】
（ｄ）子守帯本体が乳幼児の脇の下の胴部分まで包み込むように幅広に形成されているものは、子守帯本体で乳幼児を包み込むようにして背負うことができるので安定性に優れると共に、背負った後のバランスも取りやすい。
【００２６】
（ｅ）子守帯本体、肩掛けベルト及び腰当てベルトの所要箇所に低反発ウレタンフォームが収容されていることものは、肩掛けベルトで子守帯をややきつく締め付けても、低反発ウレタンフォームが変形するので乳幼児の体は圧迫されにくい。また使用者も肩掛けベルトや腰当てベルトで体が圧迫されにくいので、長時間の使用でも疲れにくい。
【発明を実施するための最良の形態】
【００２７】
以下、本発明を実施例により説明するが、本発明はこれらに限定されるものではない。
【００２８】
本発明を図面に示した実施例に基づき更に詳細に説明する。
【実施例】
【００２９】
図１ないし図７は、本発明に係る背負い用の子守帯の一実施例を示す説明図である。
図１は子守帯を展開した状態を示す正面視説明図、
図２は図１に示す子守帯の部分拡大説明図、
図３は図２に示す子守帯の右側面視説明図、
図４は図２に示すＩ−Ｉ部分に対応する断面を示す説明図、
図５は図１に示す子守帯の背面視説明図、
図６は図１に示す子守帯の平面視説明図、
図７は図１に示す子守帯の底面視説明図である。
なお、子守帯の説明で上下左右の各方向の表現は、図２を基準としている。
【００３０】
図１及び図２に示すように、背負い用の子守帯Ａは、子守帯本体１と、肩掛けベルト２ａ，２ｂと、腰当てベルト３、脚通しベルト４ａ，４ｂとを備えている。なお、図１及び図２で示す紙面側が乳幼児を包んで支持する側である。
【００３１】
子守帯Ａは、薄手の布の間に低反発ウレタンフォームや綿などを入れて縫ったキルティング構造で主に構成されている。また特に脚通しベルト４ａ，４ｂは平ゴムを芯にした構造となっている。なお、図示の便宜上、脚通しベルト４ａ，４ｂを伸ばした状態で図示しているが、単に展開した状態では、平ゴムのゴム弾性により皺が寄った状態でやや縮んでいる。
【００３２】
以下、各構成部分について順を追って詳しく説明する。
子守帯本体１は、乳幼児の背中をサポートする部分と、乳幼児の臀部をサポートする部分１２０を備えている。図２で子守帯本体１の上部側（以下、「上子守帯本体１１」という）は中央部分が丸みをつけて形成されており、その両側は下方に緩やかに湾曲している。この湾曲部分が乳幼児の両脇をそれぞれ支持する左脇支持部１１１と右脇支持部１１２を構成する。この上子守帯本体１１の中には、図４に示すように、衝撃吸収性の高い低反発ウレタンフォーム１１３が入れられている。
【００３３】
上子守帯本体１１の両端部には、肩掛けベルト２ａ，２ｂの一端部がそれぞれ固着されている。肩掛けベルト２ａ，２ｂは、上子守帯本体１１の両側方に延ばして設けられている。肩掛けベルト２ａ，２ｂの上子守帯本体１１寄りの所要部分には、低反発ウレタンフォーム２１，２１（図１で点線で示す）が入れられている。この低反発ウレタンフォーム２１，２１が入れられた肩掛けベルト２ａ，２ｂの部分が主に使用者の肩や胸などに接する。
【００３４】
図２に示すように、子守帯本体１の下部側（以下「下子守帯本体１２」という。）は長方形の下側両角部を略扇形に切り欠いたような形状となっており、その切欠部の縁部によって湾曲部１２１，１２２が構成されている。湾曲部１２１，１２２に低反発ウレタンフォーム１２３（図４も参照）が入れられている。
【００３５】
湾曲部１２１，１２２を除いた他の部分（図４参照、以下「シート部１２４」という。）は、上子守帯本体１１と比べて薄くシート状となっている。シート部１２４の中には薄手の綿等が入れられている。このシート部１２４が乳幼児の臀部をサポートする部分１２０を有している。乳幼児の臀部をサポートする部分１２０は、乳幼児の臀部を受ける凹部を有さず、平面的または本質的に平面的に形成されている。シート部１２４は、乳幼児の脇の下の胴部分まで包み込むように幅広に形成されている。
【００３６】
腰当てベルト３は、その中間部が子守帯本体１の下端部（下子守帯本体１２の下部側中央）に固着されている。腰当てベルト３の中にも低反発ウレタンフォーム３０（図４も参照）が入れられている。腰当てベルト３の両端には、プラスチック製で環状のベルト通し３１ａ，３１ｂ（図２で点線で示す、図５も参照）が取り付けられている。ベルト通し３１ａ，３１ｂの孔は半円形状となっている。
【００３７】
同じく腰当てベルト３の両端には、ベルト通し３１ａ，３１ｂを覆うようにベルト通し３１ａ，３１ｂよりも一回り大きな形状のクッション性を有するベルト通し受部３２ａ，３２ｂが取り付けてある。ベルト通し受部３２ａ，３２ｂには、やや厚めの低反発ウレタンフォーム３５が入れられている（図４参照）。このベルト通し受部３２ａ，３２ｂは子守帯を背負ったとき、ベルト通し３１ａ，３１ｂの内側（使用者の体側）に位置し、ベルト通し３１ａ，３１ｂが使用者の体に直接的に当たることを防止する。これについての詳しい作用は、後述する。
【００３８】
脚通しベルト４ａ，４ｂは側方に丸く湾曲して形成されており、下子守帯本体１２の左右両側にそれぞれ（合計で二箇所）設けてある。脚通しベルト４ａ，４ｂは、一端部が下子守帯本体１２の湾曲部１２１，１２２の側縁部にそれぞれ固着されており、他端部は腰当てベルト３の端部側にそれぞれ固着されている。脚通しベルト４ａ，４ｂと上記した湾曲部１２１，１２２及び腰当てベルト３によって囲まれた空間によって、乳幼児の脚を通すための脚通し部５ａ，５ｂが構成される。
【００３９】
更に、子守帯本体１のうち、左脇支持部１１１と右脇支持部１１２を結ぶ直線上から腰当てベルト３までの垂直方向の長さは、乳幼児を背負った際に乳幼児の臀部を使用者側に引き寄せて使用者の背中に乳幼児の体を密着させることができる長さに設定されている。
【００４０】
（作  用）
図８は図１に示す子守具の使用状態を示す斜視説明図、
図９は同じく子守具の使用状態を示す側面視説明図、
図１０は図９に示す子守帯の一部を断面して、使用者の背中と乳幼児の体の密着具合が分かるように表した側面視説明図である。
図２及び図８ないし図１０を参照して、子守帯Ａの使用方法とその作用を説明する。
【００４１】
まず、図２に示す子守帯Ａを展開した状態で布団や座布団などの上に置いた後、乳幼児を子守帯本体１の上に仰向けに寝かせて、両足を脚通し部５ａ，５ｂに通す。この際、両足はその付け根辺りまで脚通し部５ａ，５ｂに通しておく。
【００４２】
乳幼児の脇の下に肩掛けベルト２ａ，２ｂを通し、乳幼児の胸の前で肩掛けベルト２ａ，２ｂの根元付近を束ねるようにして両手で掴み、乳幼児を落ちないように保持する。その状態で肩掛けベルト２ａ，２ｂの下に肘を入れながら、乳幼児を背中にまわして担ぎ上げる。本実施例では、子守帯本体１（シート部１２４）が乳幼児の脇の下の胴部分まで包み込むように幅広に形成されているので、乳幼児は子守帯本体１に包まれた状態で安定しており、背負いやすい。
【００４３】
次いで、肩掛けベルト２ａ，２ｂを両肩に掛けて胸の前で交差させた後（図８参照）、肩掛けベルト２ａ，２ｂをベルト通し３１ａ，３１ｂに通してから腹部の前で固く結んで、乳幼児を背中に固定する。
【００４４】
以上のようにして乳幼児を背負うと、図９及び図１０に示すように、子守帯本体１の左脇支持部１１１と右脇支持部１１２が乳幼児の両脇をそれぞれ支持する。またそれと共に、臀部を受ける凹部を有さず、平面的または本質的に平面的に形成されているシート部１２４が乳幼児の臀部を使用者側に引き寄せて臀部の落ち込みを防止し、使用者の背中と乳幼児の体を密着させる。このときの乳幼児の骨盤は前傾位置または直立位置に保たれる。これにより、乳幼児の重心は使用者側へ（図１０で矢印ａ1方向へ）移動し、乳幼児の荷重は後方ではなく前方である使用者の体に向けて（図１０で矢印ａ２方向へ）かかるようになる。これにより、使用者の背中と乳幼児の体に隙間が形成される従来の子守帯（図１４参照）と相違して、肩に掛かった肩掛けベルト２ａ，２ｂを使用者の後ろ斜め下方に引っ張るような向きの力は働かない。したがって、肩掛けベルト２ａ，２ｂによって肩が圧迫されにくく、長時間の使用でも疲れにくい。
【００４５】
また乳幼児の体が密着することで、バランス良く背負うことができ、家事等の作業をしていても疲れにくい。更に長時間の使用でも子守帯はズレ落ちにくいので、乳幼児を高い位置で背負い続けることができる。よって、乳幼児は使用者である母親等の顔を肩越しに見ることができるので、安心感が得られやすく、寝付きが早くなるといった効果も期待できる。
【００４６】
乳幼児を密着させるために、肩掛けベルト２ａ，２ｂをややきつめに締め付けた場合、腰当てベルト３の両端にあるプラスチック製のベルト通し３１ａ，３１ｂが使用者の腰や肋骨等に強く当たるようになる。しかしながら、図８に示すように、本実施例ではベルト通し３１ａ，３１ｂの内側（使用者側）にクッション性を有するベルト通し受部３２ａ，３２ｂが設けてあるので、ベルト通し３１ａ，３１ｂが体に直接的に当たることはなく、長時間の使用でも痛くならない。
【００４７】
なお、ベルト通し受部３２ａ，３２ｂはベルト通し３１ａ，３１ｂが体に強く当たることを防止（緩和）できるものであれば、特に低反発ウレタンフォームに限定せず、薄手のポリウレタンフォームを中に入れたものでも良く、その他、厚手の布地や柔軟性を有する合成樹脂の素材などで形成することもできる。
【００４８】
更に、上記したように、子守帯Ａの所要の位置（上子守帯本体１１、下子守帯本体１２の湾曲部１２１，１２２、腰当てベルト３、肩掛けベルト２ａ，２ｂの根元部分）には低反発ウレタンフォーム１１３，１２３，２１，３０，３５が入れられている。よって、肩掛けベルト２ａ，２ｂで子守帯Ａをややきつく締め付けても、低反発ウレタンフォーム１１３，１２３，２１，３０，３５が変形して乳幼児を圧迫しないため、長時間のおんぶでも乳幼児は疲れにくい。また使用者も肩掛けベルト２ａ，２ｂや腰当てベルト３で体が圧迫されにくいので、長時間の使用でも疲れにくい。
【００４９】
従来のものと相違して、子守帯Ａの子守帯本体１は臀部を受けるような凹みを有していないが、本実施例では図９に示すように、子守帯本体１（シート部１２４）で乳幼児の胴回りまで包み込むようにして保持できるので、背負った後の安定感も良く、バランスを取りやすい。
【００５０】
なお、首がすわっていない乳幼児の場合は、上子守帯本体１１を上方に長く形成して頭部を後方から確実に支持できるように構成することもできる。
【００５１】
本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【００５２】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【００５３】
【図１】本実施例に係る子守帯を展開した状態を示す正面視説明図。
【図２】図１に示す子守帯の部分拡大説明図。
【図３】図２に示す子守帯の右側面視説明図。
【図４】図２に示すＩ−Ｉ部分に対応する断面を示す説明図。
【図５】図１に示す子守帯の背面視説明図。
【図６】図１に示す子守帯の平面視説明図。
【図７】図１に示す子守帯の底面視説明図。
【図８】図１に示す子守具の使用状態を示す斜視説明図。
【図９】子守具の使用状態を示す側面視説明図。
【図１０】図９に示す子守帯の一部を断面して、使用者の背中と乳幼児の体の密着具合が分かるように表した側面視説明図。
【図１１】従来の子守帯を展開した状態を示す正面視説明図。
【図１２】従来の子守帯を使用した状態を示す側面視説明図。
【図１３】図１１のII−II部分に対応する断面を示す説明図。
【図１４】従来の子守帯の一部を断面して、乳幼児の臀部の位置が分かるように表した側面視説明図。
【符号の説明】
【００５４】
Ａ 子守帯
１ 子守帯本体
１１ 上子守帯本体
１１３，１２３，２１，３０，３５ 低反発ウレタンフォーム
１１１ 左脇支持部
１１２ 右脇支持部
１２ 下子守帯本体
１２０  乳幼児の臀部をサポートする部分
１２１，１２２ 湾曲部
１２４ シート部
２ａ，２ｂ 肩掛けベルト
３ 腰当てベルト
３１ａ，３１ｂ ベルト通し
３２ａ，３２ｂ ベルト通し受部
４ａ，４ｂ 脚通しベルト
５ａ，５ｂ 脚通し部
【図１】
2006130016.tif 000003
【図２】
2006130016.tif 000004
【図３】
2006130016.tif 000005
【図４】
2006130016.tif 000006
【図５】
2006130016.tif 000007
【図６】
2006130016.tif 000008
【図７】
2006130016.tif 000009
【図８】
2006130016.tif 000010
【図９】
2006130016.tif 000011
【図１０】
2006130016.tif 000012
【図１１】
2006130016.tif 000013
【図１２】
2006130016.tif 000014
【図１３】
2006130016.tif 000015
【図１４】
2006130016.tif 000016